(57)【特許請求の範囲】
【請求項１】
原稿面に対して平行に往復移動可能で、原稿からの光を電気信号に変換する光センサを有するキャリッジを筐体の内部に備える画像読取装置に用いられるキャリッジ固定装置であって、
前記筐体に設けられた開口内に回動可能に保持される円筒部と、前記筐体の外壁に当接する平板部とを有する回転部材と、
前記回転部材とともに回動し、前記キャリッジに設けられた被当接部に当接することにより前記キャリッジを固定可能な当接部材と、
前記平板部および前記筐体の外壁の一方に設けられる凸部と、
前記平板部および前記筐体の外壁の他方に設けられる凹部であって、前期当接部材が前記被当接部に当接する前記回転部材の第１の回転角度において前記凸部が嵌合する第１の凹部、および前記第１の回転角度と異なる第２の回転角度において前記凸部が嵌合する第２の凹部と、
前記回転部材を前記筐体の内側方向に付勢する付勢手段と、
を備えることを特徴とするキャリッジ固定装置。
【請求項２】
前記円筒部が嵌入する嵌入穴と、前記嵌入穴の内壁に前記筐体の内側に向かって開口が大きくなるように形成された傾斜部とを有する環状部材を備え、
前記回転部材は、前記傾斜部に嵌合可能で前記傾斜部を径方向に付勢するばね部を有することを特徴とする請求項１に記載のキャリッジ固定装置。
【請求項３】
前記平板部の外側には、凹溝が設けられていることを特徴とする請求項１または２のいずれかに記載のキャリッジ固定装置。
【発明の詳細な説明】
【０００１】
【発明の属する技術分野】
本発明はキャリッジ移動型の画像読み取り装置を輸送するときなどに、キャリッジを固定する装置に関するものである。
【０００２】
【従来の技術】
フラットベッド型の画像読み取り装置は、箱型の筐体の上面に原稿を置くためのガラス等の透明板からなる原稿台が設けられている。筐体の内部には、駆動装置により原稿台に平行に移動するキャリッジが設けられている。このキャリッジには、光源と多数の光電変換素子を並べたラインセンサとが搭載されている。光源の照射光は、原稿台上の原稿表面で反射され、集光レンズによりラインセンサに集光されるようになっている。
【０００３】
このような画像読み取り装置を輸送するとき、キャリッジが移動可能であると、キャリッジに搭載された光学部品などの精密部品が衝撃により破損する恐れがあるため、キャリッジを筐体内で移動しないように固定する必要がある。そのため従来は、輸送時には、ねじ止めやスライド式のレバーなどによってキャリッジを筐体に固定し、使用する前に固定を解除していた。
【０００４】
【発明が解決しようとする課題】
しかしながら、上記のようなねじ止めやスライド式のレバーによりキャリッジを固定する場合、使用者がキャリッジの固定または固定解除をする操作中に、どの程度動かせば固定や固定解除が操作が完了するのかが分かりにくく、キャリッジを完全に固定することができなかったり、操作に長時間を要したりするという問題があった。
【０００５】
本発明は上記の問題を解決するためになされたものであり、画像読み取り装置のキャリッジを固定する時および固定解除時に使用者が操作完了を認識し易いキャリッジ固定装置を提供することにある。
【０００６】
【課題を解決するための手段】
本発明の請求項１記載のキャリッジ固定装置によれば、筐体に設けられた開口内に回動可能に保持される円筒部および筐体の外壁に当接する平板部を有する回転部材と、回転部材とともに回動しキャリッジに設けられた被当接部に当接することによりキャリッジを固定可能な当接部材とを備える。平板部と筐体の外壁の一方および他方には凸部および凹部が設けられ、当接部材が被当接部に当接するときの回転部材の第１の回転角度においては凸部が第１の凹部に嵌合し、第１の回転角度と異なる第２の回転角度において凸部が第２の凹部に嵌合して、回転部材の回動を抑制する。回転部材を第１の回転角度とすることによりキャリッジを固定し、回転部材を第２の回転角度とすることにより、キャリッジの固定を解除することができる。
【０００７】
回転部材を筐体の内側方向に付勢する付勢手段が設けられるため、所定の回転力以上の力を加えて第１の回転角度および第２の回転角度の一方から他方に向けて回転部材を回転させ始めると、凹部から凸部が抜け出して小さな回転力で回転部材を回転させることができるようになり、他方の回転角度に達すると、付勢手段の付勢力により凸部と凹部とが嵌合し、回転部材の回転が抑制されるため、使用者が操作の完了を認識しやすい。そのため、短時間で確実にキャリッジの固定および固定解除を行うことができる。また、凸部が凹部に嵌合するときの音により操作完了を認識することもできる。
【０００８】
本発明の請求項２記載のキャリッジ固定装置によれば、円筒部が嵌入する嵌入穴と、嵌入穴の内壁に筐体の内側に向かって開口が大きくなるように形成された傾斜部とを有する環状部材を備える。回転部材は、傾斜部に嵌合可能で傾斜部を径方向に付勢するばね部を有する。これにより、回転部材を回転させて凹部から凸部が抜け出したとき、ばね部が傾斜部を付勢することにより回転部材が筐体に内側方向への付勢力を受け、回転部材の回転角度が第１の回転角度または第２の回転角度になったときに、凸部と凹部とを嵌合させることができる。
【０００９】
本発明の請求項３記載のキャリッジ固定装置によれば、平板部の外側には、凹溝が設けられているため、コインなどを凹溝に挿入して回転部材を回転させることができる。
【００１０】
【発明の実施の形態】
以下、本発明の実施例を図面に基づいて詳細に説明する。
【００１１】
図２は本発明の実施例のキャリッジ固定装置を適用したキャリッジ移動型のフラットベッド型画像読み取り装置を示す概略図である。
【００１２】
箱型の筐体２の上面に、ガラス等の透明板からなる原稿台１が設けられている。筐体２の内部には、図示しない駆動装置により原稿台１に対して平行に往復移動可能なキャリッジ３が設けられ、このキャリッジ３に光源４とラインセンサ５とが搭載されている。光源４の照射光は原稿台１上の原稿８の表面で反射され、複数のミラー６で反射した後、集光レンズ７によりラインセンサ５に集光されるようになっている。複数のミラー６で反射させることにより、原稿８から集光レンズ７までの光路長を大きくしている。ラインセンサ５には、ＣＣＤ等の複数の画素をキャリッジ３の移動方向と垂直に直線的に配列した電荷蓄積型光センサが使用される。キャリッジ３を移動させつつＣＣＤに蓄積された電荷を検出し、信号処理部１０で処理した後にインターフェイス１５から外部の画像処理装置に転送することにより原稿８の画像を読み取ることができる。
【００１３】
図３は本実施例のキャリッジ固定装置の主要部を示す側面図である。平板部９１１と円筒部９１２とを有しプラスチックなどにより形成される回転部材９１と、円筒部９１２が嵌入して貫通する嵌入穴としての貫通穴９２１を有する環状部材９２とを備える。
【００１４】
筐体２には、図４に示すように開口２１が設けられ、開口２１に回転部材９１が回動可能に嵌合している。平板部９１１の筐体２と対向する面には、凸部９１３が設けられ、筐体２の表面に設けられた第１の凹部２１１または第２の凹部２１２と嵌合可能である。凸部９１３が第１の凹部２１１に嵌合することにより、回転部材９１の第１の回転角度を規定し、凸部９１３が第２の凹部２１２に嵌合することにより第２の回転角度を規定する。回転部材９１は第１の回転角度と第２の回転角度との間で回動可能である。
【００１５】
図５は回転部材９１を示す背面図である。円筒部９１２の径方向の一方および他方にそれぞれ２つのスリット状の溝を設けることにより、円筒部９１２の径方向に変形可能なばね部９１４が形成される。ばね部９１４の先端には円筒部９１２の径方向に突出する突起９１５が形成されている。
【００１６】
平板部９１１の表面には、コインなどを挿入して回転部材９１を回動させるための凹溝９１６が設けられている。回転部材９１は平板部９１１のみが筐体２の外部に現れるため、凹溝９１６以外の部分では回転力を加えにくい形状となっている。
【００１７】
図６は環状部材９２を示す背面図である。円筒部９１２は環状部材９２の貫通穴９２１に貫通し、図３に示すように筐体２の内壁と突起９１５とにより環状部材９２を軸方向に保持している。
【００１８】
貫通穴９２１の内壁には、筐体２の内側に向かって開口断面積が大きくなるように形成された傾斜部としての斜面９２３を有する傾斜溝９２２が形成されている。
【００１９】
図１の（Ａ）に示すように凸部９１３が第１の凹部２１１に嵌合した状態から、回転部材９１に所定の回転力以上の力を加えると、凸部９１３が第１の凹部２１１から抜け出し、図１の（Ｂ）に示すように回転部材９１が軸方向に筐体２の外側に向けて移動する。同時に、ばね部９１４は径方向内側に変形し、突起９１５が傾斜溝９２２に嵌合し、環状部材９２は回転部材９１とともに回転する。突起９１５は斜面９２３を径方向外側に付勢しているため、回転部材９１は筐体２の内側に向けて付勢される。傾斜溝９２２とばね部９１４とにより、回転部材９１を筐体２の内側方向に付勢する付勢手段を構成している。このとき、凸部９１３は第１の凹部２１１から抜け出しているため、凸部９１３が第１の凹部２１１に嵌合しているときよりも小さい回転力で回転部材９１を回転させることが可能である。
【００２０】
環状部材９２には、図６に示すように当接部材としてのロックレバー９２４が形成され、回転部材９１および環状部材９２が第１の回転角度にあるとき、ロックレバー９２４がキャリッジ３の図示しない被当接部に当接することにより、キャリッジ３が移動しないように固定することができる。回転部材９１および環状部材９２が第２の回転角度にあるときは、ロックレバー９２４によるキャリッジ３の固定は解除される。
【００２１】
図７の（Ａ）は、第１の回転角度から第２の回転角度に回転部材９１を回転させるときの、回転部材９１の回転角度と回転部材９１を回転させるのに必要な回転力の大きさとの関係を示す特性図であり、図７の（Ｂ）は、第２の回転角度から第１の回転角度に回転部材９１を回転させるときの、回転部材９１の回転角度と回転部材９１を回転させるのに必要な回転力の大きさとの関係を示す特性図である。
【００２２】
図７の（Ａ）に示すように、ロックレバー９２４によりキャリッジ３が固定された第１の回転角度から第２の回転角度に向けて回転部材９１を回転させようとするとき、凸部９１３が第１の凹部２１１から抜け出すために、所定の回転力Ｘよりも大きい力が必要となる。凸部９１３が第１の凹部２１１から抜け出した後は、回転部材９１はＸよりも小さい力で回転させることができる。回転部材９１をさらに回転させ、凸部９１３が第２の凹部２１２と対応する位置に移動すると、ロックレバー９２４によるキャリッジ３の固定が解除され、ばね部９１４の付勢力により凸部９１３が第２の凹部２１２に嵌合し、回転部材９１はそれ以上回転させることができなくなる。
【００２３】
図７の（Ｂ）に示すように、第２の回転角度から第１の回転角度に向けて回転部材９１を回転させようとするとき、凸部９１３が第２の凹部２１２から抜け出すために、所定の回転力Ｘよりも大きい力が必要となる。凸部９１３が第２の凹部２１２から抜け出した後は、回転部材９１はＸよりも小さい力で回転させることができる。回転部材９１をさらに回転させ、凸部９１３が第１の凹部２１１と対応する位置に移動すると、ロックレバー９２４によりキャリッジ３が固定され、ばね部９１４の付勢力により凸部９１３が第１の凹部２１１に嵌合し、回転部材９１はそれ以上回転させることができなくなる。
【００２４】
ロックまたはロック解除の操作中で、回転部材９１の回転角度が第１の回転角度と第２の回転角度の中間にあるときは、小さい回転力で回転部材９１を両方向に回転させることが可能であるが、ロックまたはロック解除の操作完了後は、回転部材９１を回転させるために大きな回転力が必要となるため、使用者が操作の完了を認識し易い。また、凸部が凹部に嵌合するときに発生する音によって使用者が操作完了を認識することもできる。
【００２５】
上記の本発明実施例では、回転部材の平板部に１つの凸部を設け、筐体の外壁に凸部と嵌合して第１の回転角度および第２の回転角度を定める凹部を２つ設けたが、筐体の外壁に１つの凸部を設け、平板部に２つの凹部を設けることもできる。また、複数の凸部と、それぞれに対応する凹部を設けることもできる。
【図面の簡単な説明】
【図１】本発明実施例によるキャリッジ固定装置の回転部材を示す図３のＩ−Ｉ線断面図である。
【図２】本発明実施例のキャリッジ固定装置を適用した画像読み取り装置を示す概略図である。
【図３】本発明実施例によるキャリッジ固定装置を示す側面図である。
【図４】本発明実施例によるキャリッジ固定装置の開口部を示す正面図である。
【図５】本発明実施例によるキャリッジ固定装置の回転部材を示す背面図である。
【図６】本発明実施例によるキャリッジ固定装置の環状部材を示す背面図である。
【図７】本発明実施例によるキャリッジ固定装置を操作する時の回転部材の回転角度と回転に必要な力との関係を示す特性図である。
【符号の説明】
１    原稿台
２    筐体
２１    開口
２１１    第１の凹部
２１２    第２の凹部
３    キャリッジ
８    原稿
９１    回転部材
９１１    平板部
９１２    円筒部
９１３    凸部
９１４    ばね部
９１５    突起
９１６    凹溝
９２    環状部材
９２１    貫通穴（嵌入穴）
９２２    傾斜溝
９２３    斜面
９２４    ロックレバー（当接部材）
【図１】
0003669149.tif 000002
【図２】
0003669149.tif 000003
【図３】
0003669149.tif 000004
【図４】
0003669149.tif 000005
【図５】
0003669149.tif 000006
【図６】
0003669149.tif 000007
【図７】
0003669149.tif 000008